(57)【要約】【課題】一側面としては、自己が搭載されたスロット識別子を取得して表示する電子回路ユニットを含む電子装置を提供する。【解決手段】複数のスロットには、電子回路ユニット２が搭載される。電子装置のスロット番号保持部は、複数のスロットの各々に割当てられたスロット番号を保持する。電子回路ユニット２のスロット番号取得部７は、電子装置のスロット番号保持部から、電子回路ユニット２が搭載されたスロットのスロット番号を取得する。電子回路ユニット２の外部インタフェース部６は、取得されたスロット番号を表示する。【選択図】図６
2013131655.tif 000002
【特許請求の範囲】
【請求項１】
各々が電子回路ユニットを搭載する複数のスロットと、
前記複数のスロットのいずれかに搭載された少なくとも１個の電子回路ユニットと、
前記複数のスロットの各々に割当てられたスロット識別子を保持するスロット識別子保持部とを含み、
前記電子回路ユニットは、
前記スロット識別子保持部から、前記電子回路ユニットが搭載されたスロットのスロット識別子を取得するスロット識別子取得部と、
取得された前記スロット識別子を表示する出力部とを含む
ことを特徴とする電子装置。
【請求項２】
前記電子装置は、更に、
前記電子回路ユニットが接続される共通基板を含み、
前記スロット識別子保持部は、前記共通基板に設けられた接続ピンであって、前記複数のスロットの各々に対応する複数の接続ピンを、予め定められた第１の電位又は第２の電位に固定することにより、前記スロット識別子を保持する
ことを特徴とする請求項１に記載の電子装置。
【請求項３】
前記電子回路ユニットは、更に、
取得された前記スロット識別子を記憶する不揮発性メモリを含むスロット識別子記憶部を含む
ことを特徴とする請求項１に記載の電子装置。
【請求項４】
前記電子回路ユニットは、更に、
前記電子回路ユニットが前記スロットに搭載されていない場合に、前記出力部及び前記スロット識別子記憶部に電力を供給するバッテリーを含み、
前記出力部は、前記電子回路ユニットが前記スロットに搭載されていない場合に、前記バッテリーから前記出力部及び前記スロット識別子記憶部に電力が供給されることにより、前記スロット識別子記憶部に記憶された前記スロット識別子を表示する
ことを特徴とする請求項３に記載の電子装置。
【請求項５】
前記出力部は、前記電子回路ユニットが前記スロットに搭載された場合において、スロット識別子取得部により取得された前記スロット識別子と、前記スロット識別子記憶部に記憶された前記スロット識別子とが一致しない場合に、警告を出力する
ことを特徴とする請求項３に記載の電子装置。
【請求項６】
前記出力部は、予め定められた表示切替指示信号に従って、スロット識別子取得部により取得された前記スロット識別子、又は、前記スロット識別子記憶部に記憶された前記スロット識別子のいずれかを表示する
ことを特徴とする請求項３に記載の電子装置。
【請求項７】
各々が電子回路ユニットを搭載する複数のスロットと、前記複数のスロットに搭載された少なくとも１個の電子回路ユニットと、前記複数のスロットの各々に割当てられたスロット識別子を保持するスロット識別子保持部とを含む電子装置におけるスロット識別子表示方法であって、
前記電子回路ユニットに設けられたスロット識別子取得部が、前記スロット識別子保持部から、前記電子回路ユニットが搭載されたスロットのスロット識別子を取得し、
前記電子回路ユニットに設けられた出力部が、取得された前記スロット識別子を表示する
ことを特徴とするスロット識別子表示方法。
【請求項８】
電子装置の複数のスロットのいずれかに搭載される電子回路ユニットであって、
前記電子回路に設けられ前記複数のスロットの各々に割当てられたスロット識別子を保持するスロット識別子保持部から、前記電子回路ユニットが搭載されたスロットのスロット識別子を取得するスロット識別子取得部と、
取得された前記スロット識別子を表示する出力部とを含む
ことを特徴とする電子回路ユニット。
【発明の詳細な説明】
【技術分野】
【０００１】
本発明は、電子装置、スロット識別子表示方法、電子回路ユニットに関する。
【背景技術】
【０００２】
コンピュータ、通信装置及びその他の電子装置においては、複数の実装基板のような電子回路ユニットが、シェルフ又はシャーシーのような筐体に搭載される。この時、電子装置の維持、保守、故障の解析や復旧のために、維持等の対象である電子回路ユニットの状態が表示される。これにより、例えば、電子回路ユニットの状態や、電子回路ユニットが電子装置のどの位置に、具体的には、どのスロットに搭載されているかを把握する。
【０００３】
例えば、図９（Ａ）に示すように、プリント回路基板３０１の前面に設けられた状態表示用パネル３０２に、ＬＥＤ３０３によりプリント回路基板３０１の状態を表示することが知られている。
【０００４】
また、例えば、図９（Ｂ）に示すように、プリント回路基板３１１の前面に設けられたスロット番号表示部３１２に、当該プリント回路基板３１１が搭載されたスロットのスロット番号をユーザが手書きしたラベルを貼付することが知られている。
【０００５】
また、例えば、図１０に示すように、シェルフ３２１に接続されたプリント回路基板３２２毎に、スロット番号表示部３２３にスロット番号を表示することが知られている。
【先行技術文献】
【特許文献】
【０００６】
【特許文献１】実開昭６３−１１３１８６号公報
【特許文献２】特開平１０−２２４００３号公報
【特許文献３】特開平０３−２１１７９４号公報
【発明の概要】
【発明が解決しようとする課題】
【０００７】
電子装置で処理される情報量の増加に伴い、電子回路に搭載される電子回路ユニットの数が増加している。例えば、運用中の電子回路ユニットの確認時や保守時の電子回路ユニットの抜去作業において、保守対象の電子回路ユニットを誤って認識すると、保守が正しく行われない。また、特に、保守対象ではない電子回路ユニットを誤って電子装置から抜き去ると、システムダウン等の重要障害に発展する。従って、電子回路ユニットがどのスロットに搭載されているかを、正しく把握することが重要である。
【０００８】
図９（Ａ）に示す例においては、プリント回路基板３０１の状態は表示されるが、電子装置のスロット番号は表示されない。このため、プリント回路基板３０１の搭載されたスロット番号を把握するためには、別途、スロット表示を準備する必要があり、事実上、電子回路ユニットの数の増加に対応できない。
【０００９】
また、図９（Ｂ）に示す例においては、スロット番号は表示されるものの、スロット番号がユーザにより手書きされるのみである。このため、プリント回路基板３１１が他のスロットに搭載され直された場合には、その都度、ユーザが、自分でスロット番号表示部３１２のラベルを変更する必要がある。従って、スロット番号の書き間違いが発生してシステムの誤動作の原因となり、また、スロット番号の記入時間がユーザの大きな負担になる。このため、事実上、電子回路ユニットの数の増加に対応できない。
【００１０】
また、図１０に示す例においては、スロット番号表示部３２３は、プリント回路基板３２２ではなく、シェルフ３２１に設けられる。このため、スロット番号は表示されるものの、故障に起因してプリント回路基板３２２を一旦シェルフ３２１から抜くと、プリント回路基板３２２はどのスロットに搭載されていたか判別できなくなる。換言すれば、ユーザが自分で、プリント回路基板３２２が搭載されていたスロット番号を記録する以外に、スロット番号を残す手段が無い。この作業は、スロット番号の記録の間違いが発生してシステムの誤動作の原因となり、また、スロット番号の記入時間がユーザの大きな負担になる。従って、電子回路ユニットの数が増加した場合には、実用的でない。
【００１１】
本発明は、一側面としては、自己が搭載されたスロット識別子を取得して表示する電子回路ユニットを含む電子装置を提供することを目的とする。
【課題を解決するための手段】
【００１２】
電子装置は、一側面としては、複数のスロットと、電子回路ユニットと、スロット識別子保持部とを含む。複数のスロットは、各々、電子回路ユニットを搭載する。少なくとも１個の電子回路ユニットが、複数のスロットのいずれかに搭載される。スロット識別子保持部は、複数のスロットの各々に割当てられたスロット識別子を保持する。電子回路ユニットは、スロット識別子取得部と、出力部とを含む。スロット識別子取得部は、スロット識別子保持部から、電子回路ユニットが搭載されたスロットのスロット識別子を取得する。出力部は、取得されたスロット識別子を表示する。
【発明の効果】
【００１３】
電子装置によれば、一側面としては、電子装置に含まれる電子回路ユニットが、各々、自己が搭載されたスロット識別子を取得して表示することができる。
【図面の簡単な説明】
【００１４】
【図１】電子装置の外観の概略を示す図である。
【図２】電子装置の外観の概略を示す図である。
【図３】電子回路ユニットの外観の概略を示す図である。
【図４】電子装置の説明図である。
【図５】電子装置の説明図である。
【図６】電子回路ユニットの説明図である。
【図７】電子回路ユニットの説明図である。
【図８】電子回路ユニットの説明図である。
【図９】従来のスロット番号表示方法を示す図である。
【図１０】従来のスロット番号表示方法を示す図である。
【発明を実施するための形態】
【００１５】
図１は、電子装置の外観の概略を示す図であり、電子回路ユニットが搭載されている電子装置の前面の外観の概略を示す。
【００１６】
電子装置１は、例えばコンピュータ、通信装置、その他の電子装置である。電子装置１は、シェルフ又はシャーシーのような筐体１１を含む。筐体１１には、電子装置１を構成する複数の電子回路ユニット２が着脱可能に搭載される。図１に示すように、電子装置１を前面、換言すれば、正面から見た場合、複数の電子回路ユニット２の前面部２１が、同一方向に並んで見える。前面部２１には、後述するように、スロット識別子、例えばスロット番号が表示される表示部２４が設けられる。
【００１７】
図１においては、１４個の電子回路ユニット２が電子装置１に搭載されている。１４個の電子回路ユニット２は、同一の電子回路ユニットであっても、異なる電子回路ユニットであっても良い。図１においては、中央の２個の電子回路ユニット２は、相互に同一の正面外観、換言すれば、前面部２１を有し、他の電子回路ユニット２と異なる。中央の２個の電子回路ユニット２以外の１２個の電子回路ユニット２は、相互に同一の正面外観、換言すれば、前面部２１を有する。電子回路ユニット２は、各々の外観に拘わりなく、各々の有する処理の機能が異なっていても良い。
【００１８】
図２は、電子装置の外観の概略を示す図であり、電子回路ユニットが搭載されていない電子装置の前面の外観の概略を示す。
【００１９】
電子装置１の筐体１１は、図２に点線で示すように、複数のスロット１２を含む。複数のスロット１２は、各々、電子回路ユニット２を着脱可能に搭載することができる。換言すれば、電子回路ユニット２は、スロット１２に差し込むことによりスロット１２に搭載することができ、一旦差し込んだ電子回路ユニット２をスロット１２から抜き去ることによりスロット１２から取り外すことができる。複数のスロット１２は、例えば同一のサイズとされる。スロット１２は、例えば、電子回路ユニット２を容易に搭載することができるように、ガイドレール、搭載時における電子回路ユニット２の保持部等を含むようにしても良い。
【００２０】
複数のスロット１２には、各々、スロット識別子が予め割当てられる。スロット識別子は、電子装置１において、一意にスロット１２を特定する識別情報である。スロット識別子は、後述するように、電子装置１により保持され、電子回路ユニット２に入力される。
【００２１】
スロット識別子としては、例えばスロット番号が用いられる。そこで、以下の説明においては、スロット識別子の一例であるスロット番号を用いるものとする。しかし、スロット識別子として、スロット番号以外に、スロットを識別できる記号等、種々のスロット識別情報を用いるようにしても良い。
【００２２】
図２においては、電子回路ユニット２が搭載されていないので、電子装置１の背面の内側が露出している。具体的には、複数のスロット１２を介して、バックワイヤリングボード（ＢＷＢ）３が露出している。ＢＷＢ３は、例えば、電子装置１の背面、換言すれば、前面の反対側の面を構成する筐体の内側に設けられる。ＢＷＢ３は、複数の電子回路ユニット２に共通の配線基板、換言すれば、共通基板である。ＢＷＢ３は、複数のコネクタ部４を含む。コネクタ部４は、スロット１２に、１対１に対応して設けられる。コネクタ部４は、ＢＷＢ３と、複数の電子回路ユニット２の各々との間を接続する。ＢＷＢ３には、複数のコネクタ部４を介して、複数の電子回路ユニット２が接続される。これにより、例えば、複数の電子回路ユニット２が、ＢＷＢ３を介して、相互に接続される。
【００２３】
コネクタ部４は、複数の信号ピンと、電源ピンと、後述する複数のスロット番号保持ピン４２を含む。信号ピンは、電子回路ユニット２との間で信号を送受信するための接続ピンである。電源ピンは、電子装置１から電子回路ユニット２に電源を供給するための接続ピンである。スロット番号保持ピン４２は、スロット番号を保持するための接続ピンであり、後述するスロット番号保持部４１として用いられる。
【００２４】
図２においては、１４個のスロット１２が設けられ、１４個のコネクタ部４が設けられている。従って、図１に示すように、１４個のスロット１２の各々に電子回路ユニット２が搭載されている。なお、１４個のスロット１２の一部に電子回路ユニット２を搭載するようにしても良い。従って、少なくとも１個の電子回路ユニット２が、複数のスロット１２のいずれかに搭載される。
【００２５】
図３は、電子回路ユニットの外観の概略を示す図であり、図３（Ａ）は電子回路ユニットの正面図、図３（Ｂ）は電子回路ユニットの上面図、図３（Ｃ）は電子回路ユニットの側面図である。
【００２６】
電子回路ユニット２は、図３（Ａ）〜図３（Ｃ）に示すように、前面部２１と、配線基板２２と、接続部２３とを含む。前面部２１と配線基板２２とが、電子回路ユニット２の筐体を構成する。
【００２７】
前面部２１は、図３（Ｂ）及び図３（Ｃ）に示すように、配線基板２２の一辺に、配線基板２２に垂直に設けられる。前面部２１が設けられる辺は、電子回路ユニット２がスロット１２に搭載された場合に電子装置１の前面に位置する辺である。
【００２８】
配線基板２２は、電子回路ユニット２に含まれる複数の半導体装置や複数の電子部品を実装する配線基板であり、電子回路ユニット２の底面を構成する。配線基板２２は、図１に示すように、電子装置１において縦になるように搭載される。
【００２９】
接続部２３は、コネクタ部４に接続されるコネクタであり、図３（Ｃ）に示すように、配線基板２２の他の一辺の中央部に、配線基板２２の延びる方向と同一の方向に伸びるように設けられる。接続部２３が設けられる辺は、前面部２１が設けられた辺に対向する辺であり、電子回路ユニット２がスロット１２に搭載された場合に電子装置１の背面に位置する辺である。接続部２３は、電子回路ユニット２をスロット１２に搭載する場合に、例えば、スロット１２に対応するコネクタ部４の内部に嵌め込まれる。これにより、電子回路ユニット２がＢＷＢ３に接続される。
【００３０】
前面部２１は、電子回路ユニット２がスロット１２に搭載された場合に電子装置１の前面となる。換言すれば、前面部２１は、電子回路ユニット２が電子装置１に搭載された場合に、電子装置１の筐体の前面を構成する。前面部２１には、少なくとも、表示部２４が設けられる。これにより、電子装置１の前面に、保守員に見えるように、スロット番号を表示することができる。
【００３１】
電子回路ユニット２は、図３（Ａ）に示すように、前面部２１上に設けられた、表示部２４と、アラーム表示用ＬＥＤ（Light Emitting Diode）２５と、設定ボタン２６と、リセットボタン２７と、表示切替ボタン２８とを含む。なお、図１においては、表示部２４のみを図示している。アラーム表示用ＬＥＤ２５、設定ボタン２６、リセットボタン２７、表示切替ボタン２８は、図３（Ａ）に示すように、表示部２４に隣接するように設けても良く、また、図１に示す前面部２１において接続コネクタ等が設けられていない領域に設けても良い。
【００３２】
表示部２４及びアラーム表示用ＬＥＤ２５は、図６を参照して後述する外部インタフェース部６の出力部である。設定ボタン２６、リセットボタン２７及び表示切替ボタン２８は、外部インタフェース部６の入力部である。
【００３３】
表示部２４は、例えば、２桁又は３桁の数字をデジット表示する液晶表示装置であり、スロット番号を表示する。これにより、保守員の負担なしで、正確なスロット番号を保守員に知らせることができる。表示部２４がスロット番号以外のスロット識別子を表示する場合には、通常の液晶表示装置が用いられる。
【００３４】
アラーム表示用ＬＥＤ２５は、予め定められた場合に点灯又は点滅することにより、予め定められたアラームを出力する。これにより、例えば、あるスロット１２から抜き取られた電子回路ユニット２が異なるスロット１２に搭載されたことを、保守員に知らせることができる。
【００３５】
設定ボタン２６は、予め定められた設定指示信号の入力用のボタンである。設定ボタン２６が押下げられた場合、電子装置１に保持されたスロット番号が電子装置１から取得されてスロット番号記憶部９に格納される。これにより、設定ボタン２６の押下げという簡単な操作で、スロット番号を取得し格納することができる。
【００３６】
リセットボタン２７は、予め定められたリセット指示信号の入力用のボタンである。リセットボタン２７が押下げられた場合、スロット番号記憶部９に格納されたスロット番号がリセットされる。これにより、リセットボタン２７の押下げという簡単な操作で、スロット番号をリセットすることができる。
【００３７】
表示切替ボタン２８は、予め定められた表示切替指示信号の入力用のボタンである。これにより、表示切替ボタン２８の押下げという簡単な操作で、スロット番号の表示を切替ることができる。
【００３８】
表示切替ボタン２８が押下げられた場合、例えば電子装置１のスロット番号保持部４１から取得されたスロット番号が表示される。これにより、現在搭載されているスロット１２のスロット番号を表示することができる。表示切替ボタン２８が押下げられない場合、後述するように、例えばスロット番号記憶部９に格納されたスロット番号が表示される。これにより、直前に搭載されていたスロット１２のスロット番号を表示することができる。
【００３９】
図４及び図５は、電子装置の説明図であり、スロット番号保持部について示す。
【００４０】
電子装置１のコネクタ部４は、図４に示すように、各々、スロット番号保持部４１を含む。従って、スロット番号保持部４１は、スロット１２に、１対１に対応して設けられる。換言すれば、図４に示すように、１４個のスロットＳ１〜Ｓ１４の各々に対応して、スロット番号保持部４１が設けられる。
【００４１】
スロット番号保持部４１は、スロット識別子を保持するスロット識別子保持部であり、具体的には、複数のスロット１２の各々に割当てられたスロット番号を保持する。スロット番号保持部４１は、図４に示すように、複数のスロット番号保持ピン４２を含む。換言すれば、スロット番号は、複数のスロット番号保持ピン４２により保持される。スロット番号保持ピン４２は、スロット識別子を保持するスロット識別子保持ピンであり、具体的には、ＢＷＢ３のコネクタ部４に設けられた複数の接続ピンの中の予め定められた位置の接続ピンである。従って、スロット番号保持部４１は、複数のスロット１２の各々に対応する複数のスロット番号保持ピン４２を含む。
【００４２】
スロット番号保持部４１は、スロット番号保持ピン４２を、予め定められた第１の電位又は第２の電位に固定することにより、スロット番号を保持する。スロット番号保持ピン４２は、第１の電位である接地電位にプルダウン抵抗を介して接続され、又は、第２の電位である正の固定電位、例えば電源電位にプルアップ抵抗を介して接続される。これにより、接地電位に接続されたスロット番号保持ピン４２は、例えばロウレベル、換言すれば、「０」を保持する。正の固定電位に接続されたスロット番号保持ピン４２は、例えばハイレベル、換言すれば、「１」を保持する。
【００４３】
例えば、スロット番号保持部４１は、図４に示すように、４個のスロット番号保持ピン４２を含む。これにより、スロット番号保持部４１は、１６個のスロット番号を保持することができる。スロット番号保持ピン４２の数は、４個に限られず、電子装置１のスロット１２の数に応じて増減することができる。
【００４４】
ここで、図４に示すように、スロット番号保持部４１に含まれる４個のスロット番号保持ピン４２を、各々、ａ、ｂ、ｃ及びｄとする。更に、図５に示すように、スロット番号保持部４１において、例えば、スロットＳ１に対応するスロット番号保持ピンａを、正の固定電位に接続する。換言すれば、スロットＳ１に対応するスロット番号保持ピンａを、「１」に設定する。また、スロットＳ１に対応するスロット番号保持ピンｂ、ｃ及びｄを、接地電位に接続する。換言すれば、スロットＳ１に対応するスロット番号保持ピンｂ、ｃ及びｄを、「０」に設定する。他のスロットＳ２〜Ｓ１４についても、同様にして、４個のスロット番号保持ピン４２が、「１」又は「０」に設定される。これにより、スロット番号保持部４１は、スロット番号を容易に保持することができる。
【００４５】
スロット番号保持部４１は、電子回路ユニット２がスロット１２に搭載された場合に、予め定められた第１の電位又は第２の電位を含む信号であるスロット番号を、搭載された電子回路ユニット２のスロット番号取得部７に出力する。スロット番号取得部７は、スロット番号保持部４１から出力されたスロット番号を取得する。これにより、接続するだけで、スロット番号を取得することができる。
【００４６】
なお、スロット番号保持ピンａ〜ｄが全て「０」に設定されたスロット番号「０（ａｌｌ“０”）」は、後述するように、抑止信号として用いられるので、実際には、スロット番号としては使用されない。また、ＢＷＢ３が、スロット番号保持部４１としてのメモリ等にスロット番号を格納するようにしても良い。
【００４７】
図６は、電子回路ユニットの説明図であり、主として、電子回路ユニットの構成の一例を示す。なお、図６において、複数の電子回路ユニット２を図示しているが、コネクタ部４は１個のみ図示している。
【００４８】
電子装置１において、電子回路ユニット２は、接続部２３を介して、ＢＷＢ３のコネクタ部４に接続される。この時、電子回路ユニット２の接続部２３は、ＢＷＢ３のコネクタ部４に挿入される。これにより、電子回路ユニット２は、ＢＷＢ３に接続され、ＢＷＢ３を介して他の電子回路ユニット２等と接続される。具体的には、電子回路ユニット２のスロット番号取得部７がコネクタ部４のスロット番号保持部４１に接続され、電子回路ユニット２に実装された種々の処理回路がコネクタ部４を介してＢＷＢ３に接続され、電子装置１からコネクタ部４の電源ピンを介して電子装置１から電子回路ユニット２に電源が供給される。
【００４９】
電子回路ユニット２は、スロット番号表示回路を含む。換言すれば、電子回路ユニット２は、外部インタフェース部６と、スロット番号取得部７と、記憶情報制御部８と、スロット番号記憶部９と、スロット番号比較部１０と、バッテリー１１とを含む。また、電子回路ユニット２は、スロット番号表示回路の他に、処理回路を含む。処理回路は、例えば、他の電子回路ユニット２から受信した信号を処理し、処理の結果を他の電子回路ユニット２に送信する。
【００５０】
スロット番号取得部７は、スロット識別子を取得するスロット識別子取得部であり、具体的には、スロット番号表示回路におけるスロット番号の入力部である。例えば、スロット番号取得部７は、電子装置１のスロット番号保持部４１から、電子回路ユニット２が搭載されたスロット１２のスロット番号を取得する。そして、スロット番号取得部７は、取得したスロット番号を、記憶情報制御部８と、スロット番号記憶部９と、スロット番号比較部１０に送る。
【００５１】
記憶情報制御部８は、予め定められた表示切替指示信号に基づいて、スロット番号取得部７から受け取ったスロット番号又はスロット番号記憶部９に記憶されたスロット番号を、外部インタフェース部６に送る。表示切替指示信号は、後述する選択信号Ｓであって、外部インタフェース部６から入力される。
【００５２】
記憶情報制御部８は、例えば、図７（Ａ）に示すように、選択回路８１を含む。選択回路８１は、選択信号Ｓに基づいて、ＢＷＢスロット番号情報とスロット番号情報のいずれか一方を、外部インタフェース部６に出力する。選択信号Ｓは、外部インタフェース部６から入力される。ＢＷＢスロット番号情報は、スロット番号取得部７から受け取ったスロット番号であり、記憶情報制御部８において、例えば所定のレジスタＡに保持される。スロット番号情報は、スロット番号記憶部９から受け取ったスロット番号であり、記憶情報制御部８において、例えば所定のレジスタＢに保持される。
【００５３】
スロット番号記憶部９は、スロット識別子を記憶するスロット識別子記憶部であり、具体的には、スロット番号取得部７により取得されたスロット番号を記憶する不揮発性メモリを含む。これにより、電子回路ユニット２を電子装置１から抜き去った場合でも、電子回路ユニット２は、一旦搭載された、換言すれば、直前に搭載されていたスロット１２のスロット番号を保持することができる。スロット番号は、予め定められたタイミングでスロット番号記憶部９に格納される。スロット番号記憶部９に格納されたスロット番号は、予め定められたタイミングで読み出されて、記憶情報制御部８、スロット番号比較部１０に送られる。
【００５４】
スロット番号比較部１０は、スロット識別子を比較するスロット識別子比較部であり、具体的には、スロット番号取得部７から受け取ったスロット番号と、スロット番号記憶部９に記憶されたスロット番号とを比較する。そして、スロット番号比較部１０は、比較の結果を外部インタフェース部６に送る。
【００５５】
スロット番号比較部１０は、例えば、図７（Ｂ）に示すように、比較回路１０１と、反転回路１０２と、２入力ＡＮＤゲート回路１０３と、４入力ＯＲゲート回路１０４とを含む。比較回路１０１は、比較情報Ａと比較情報Ｂとを比較する。比較情報Ａは、スロット番号取得部７から受け取ったスロット番号であり、スロット番号比較部１０において、例えば所定のレジスタＡに保持される。比較情報Ｂは、スロット番号記憶部９から受け取ったスロット番号であり、スロット番号比較部１０において、例えば所定のレジスタＢに保持される。比較回路１０１は、比較の結果に基づいて、比較情報Ａと比較情報Ｂとが一致する場合には「１」を出力し、一致信号が無い場合には「０」を出力する。
【００５６】
比較回路１０１の出力は、反転回路１０２において反転された後に、２入力ＡＮＤゲート回路１０３の一方の入力端子に入力される。一方、比較情報Ｂの各ビットの各々が、４入力ＯＲゲート回路１０４に入力される。これにより、比較情報Ｂの各ビットが全て「０」である場合には２入力ＡＮＤゲート回路１０３から信号「０」が出力され、比較情報Ｂのいずれかのビットが「１」である場合には２入力ＡＮＤゲート回路１０３が開かれて比較の結果に基づく信号が出力される。比較情報Ｂの各ビットが全て「０」である場合とは、比較情報Ｂが、スロット番号「０（ａｌｌ“０”）」である場合である。
【００５７】
従って、比較情報Ｂが「０」である場合、換言すれば、比較情報Ｂの各ビットが全て「０」である場合、２入力ＡＮＤゲート回路１０３は、信号「０」、換言すれば、アラーム点灯を指示しない信号を、アラーム制御部６２に出力する。比較情報Ｂは、後述するように、アラームの出力を抑止に用いられるので、アラーム抑止信号である。換言すれば、スロット番号比較部１０は、スロット番号記憶部９に記憶されたスロット番号が予め定められた値である場合に、予め定められた値を抑止信号として検出して、アラームの出力を抑止する。これにより、例えば、スロット番号を取得していない状態の電子回路ユニットをスロットに接続した場合には、アラームが出力されないようにすることができる。
【００５８】
バッテリー１１は、電子回路ユニット２がスロット１２に搭載されていない場合に、外部インタフェース部６及びスロット番号記憶部９に電力を供給する。なお、バッテリー１１は、実際には、電子回路ユニット２がスロット１２に搭載されていない場合に、記憶情報制御部８にも電力を供給する。外部インタフェース部６は、電子回路ユニット２がスロット１２に搭載されていない場合に、バッテリー１１から外部インタフェース部６、記憶情報制御部８及びスロット番号記憶部９に電力が供給されることにより、スロット番号記憶部９に記憶されたスロット番号を表示する。
【００５９】
これにより、電子回路ユニット２を電子装置１から抜き去ったことにより、電子装置１から電子回路ユニット２に電力が供給されなくなった場合でも、スロット番号記憶部９に保持されたスロット番号を表示することができる。なお、バッテリー１１は、省略するようにしても良い。
【００６０】
外部インタフェース部６は、スロット番号表示回路の入出力部である。外部インタフェース部６は、図８に示すように、番号表示制御部６１と、アラーム制御部６２と、設定制御部６３と、リセット制御部６４と、表示切替制御部６５とを含む。また、外部インタフェース部６は、表示部２４と、アラーム表示用ＬＥＤ２５と、設定ボタン２６と、リセットボタン２７と、表示切替ボタン２８とを含む。
【００６１】
番号表示制御部６１は、記憶情報制御部８からの信号に基づいて、表示部２４にスロット番号を表示する。番号表示制御部６１と表示部２４は、外部インタフェース部６の出力部である。
【００６２】
番号表示制御部６１は、例えば、スロット番号取得部７により取得されたスロット番号を表示部２４に表示する。これにより、スロット番号取得部７により取得したスロット番号を容易に表示し、保守員に知らせることができる。
【００６３】
また、番号表示制御部６１は、記憶情報制御部８の選択回路８１からの入力に従って、スロット番号取得部７により取得されたスロット番号、又は、スロット番号記憶部９に記憶されたスロット番号のいずれかを表示する。これにより、例えばアラームが出力された場合、スロット番号取得部７により取得されたスロット番号、又は、スロット番号記憶部９に記憶されたスロット番号の双方を知ることができる。また、あるスロット１２に搭載した後に抜き去った電子回路ユニット２が、いずれのスロット１２に搭載されていたかを確実に知ることができる。
【００６４】
アラーム制御部６２は、スロット番号比較部１０の２入力ＡＮＤゲート回路１０３から受け取った信号に基づいて、アラーム表示用ＬＥＤ２５からアラームを出力し、又は、出力しない。アラーム制御部６２とアラーム表示用ＬＥＤ２５は、外部インタフェース部６の出力部である。
【００６５】
具体的には、アラーム制御部６２は、２入力ＡＮＤゲート回路１０３から信号「１」を受け取ると、アラーム（警告）を出力する。換言すれば、アラーム制御部６２は、電子回路ユニット２がスロット１２に搭載された場合において、スロット番号取得部７により取得されたスロット番号と、スロット番号記憶部９に記憶されたスロット番号とが一致しない場合に、アラームを出力する。これにより、あるスロット１２に搭載した後に抜き去った電子回路ユニット２が、異なるスロット１２に搭載されたことを知ることができる。
【００６６】
また、アラーム制御部６２は、比較情報Ｂが「０」である場合、２入力ＡＮＤゲート回路１０３から信号「０」を受け取り、アラームの出力を抑止する。換言すれば、アラーム制御部６２は、前述した抑止信号に従って、スロット番号取得部７により取得されたスロット番号と、スロット番号記憶部９に記憶されたスロット番号とが一致しない場合であっても、アラームの出力を抑止する。これにより、アラームが不要な場合に、アラームが出力されないようにすることができる。
【００６７】
設定制御部６３は、設定ボタン２６の押下げに基づいて、予め定められた設定指示信号を生成する。設定指示信号は、例えば、スロット番号取得部７に入力される。設定制御部６３と設定ボタン２６は、外部インタフェース部６の入力部である。
【００６８】
スロット番号取得部７は、設定指示信号に従って、前述したように、スロット番号保持部４１に保持されたスロット番号を取得する。これにより、電子装置１に保持されたスロット番号を容易に取得することができる。
【００６９】
リセット制御部６４は、リセットボタン２７の押下げに基づいて、予め定められたリセット指示信号を生成する。リセット指示信号は、例えば、記憶情報制御部８を介して、スロット番号記憶部９に送られる。リセット制御部６４とリセットボタン２７は、外部インタフェース部６の入力部である。
【００７０】
スロット番号記憶部９は、リセット指示信号に従って、スロット番号記憶部９に記憶されたスロット番号をリセットする。これにより、スロット番号記憶部９での保持が不要となったスロット番号をスロット番号記憶部９から削除することができる。
【００７１】
表示切替制御部６５は、表示切替ボタン２８の押下げに基づいて、予め定められた表示切替指示信号を生成する。表示切替指示信号は、記憶情報制御部８に送られる。表示切替制御部６５と表示切替ボタン２８は、外部インタフェース部６の入力部である。
【００７２】
記憶情報制御部８は、表示切替制御部６５から受け取った表示切替指示信号を、選択信号Ｓとして用いる。これにより、記憶情報制御部８の選択回路８１は、前述したように、選択信号Ｓに従って、スロット番号取得部７により取得されたスロット番号、又は、スロット番号記憶部９に記憶されたスロット番号のいずれかを、番号表示制御部６１に出力する。
【００７３】
以下、ケース＃１として、一度も電子装置１に搭載したことがない電子回路ユニット２を、電子装置１のスロット番号「Ｘ」のスロット１２に搭載する場合について説明する。
【００７４】
この場合、スロット番号「Ｘ」のスロット１２に対応するコネクタ部４のスロット番号保持部４１は、スロット番号「Ｘ」を保持している。また、電子回路ユニット２において、スロット番号記憶部９に格納されたスロット番号は「０（ａｌｌ“０”）」であり、バッテリー１１は例えばチャージされていない。
【００７５】
電子装置１のスロット番号「Ｘ」のスロット１２に電子回路ユニット２が搭載されると、コネクタ部４を介して、電子装置１から電子回路ユニット２に電源が供給される。これにより、電子回路ユニット２に実装された処理回路とスロット番号表示回路とに電源が供給され、バッテリー１１のチャージが開始される。
【００７６】
スロット番号表示回路に電源が供給されると、記憶情報制御部８は、スロット番号記憶部９にスロット番号の読み出しを要求する信号を送る。これに応じて、スロット番号記憶部９は、不揮発性メモリに記憶されたスロット番号「０」を読み出して、記憶情報制御部８とスロット番号比較部１０とに送る。記憶情報制御部８は、スロット番号記憶部９から受け取ったスロット番号「０」を、スロット番号情報として保持する。スロット番号比較部１０は、スロット番号記憶部９から受け取ったスロット番号「０」を、比較情報Ｂとして保持する。
【００７７】
一方、電子装置１に電子回路ユニット２が搭載されると、コネクタ部４のスロット番号保持部４１は、スロット番号「Ｘ」を、搭載された電子回路ユニット２のスロット番号取得部７に出力する。
【００７８】
この後、保守員が設定ボタン２６を押下げると、これに応じて、外部インタフェース部６の設定制御部６３からスロット番号取得部７へ設定ボタン２６の押下げが通知される。設定ボタン２６の押下げの通知を受けたスロット番号取得部７は、スロット番号保持部４１から出力されたスロット番号「Ｘ」を取得して、換言すれば、取り込んでラッチする。そして、スロット番号取得部７は、取り込んだスロット番号「Ｘ」を、記憶情報制御部８、スロット番号記憶部９、スロット番号比較部１０に送る。
【００７９】
記憶情報制御部８は、スロット番号取得部７から受け取ったスロット番号「Ｘ」を、ＢＷＢスロット番号情報として保持する。記憶情報制御部８において、ＢＷＢスロット番号情報とスロット番号情報とが、表示切替制御部６５の選択回路８１に入力される。
【００８０】
この時、電子回路ユニット２がスロット１２に搭載された状態で、表示切替ボタン２８が押下げられていないので、選択回路８１に選択信号Ｓが入力されない。従って、選択回路８１は、スロット番号情報を選択して出力する。この結果、スロット番号情報が、選択回路８１から番号表示制御部６１に送られる。
【００８１】
なお、電子回路ユニット２がスロット１２に搭載されたか否かは、例えば、スロット番号表示回路に電源が供給されているか否かにより知ることができる。そこで、選択信号Ｓは、例えば、番号表示制御部６１に供給される電源電位に基づいて生成された第１信号と、表示切替ボタン２８が押下げに基づいて生成される第２信号とに基づいて生成することができる。具体的には、電子回路ユニット２がスロット１２に搭載されると、電源が供給されるので、例えば、第１信号は「１」となる。表示切替ボタン２８が押下げられると、例えば、第２信号は「１」となる。従って、電子回路ユニット２がスロット１２に搭載され、かつ、表示切替ボタン２８が押下げられた場合に、選択信号Ｓの「１」を出力し（選択信号Ｓを生成し）、これ以外の場合には、選択信号Ｓの「０」を出力する（選択信号Ｓを生成しない）ようにされる。
【００８２】
番号表示制御部６１は、選択回路８１から受け取ったスロット番号情報に基づいて、スロット番号を表示部２４に表示する。これにより、スロット番号記憶部９から受け取ったスロット番号「０」が表示される。これにより、電子回路ユニット２が以前にはいずれのスロット１２にも搭載されていないことを表示することができる。
【００８３】
この後、保守員が表示切替ボタン２８を押下げると、電子回路ユニット２がスロット１２に搭載された状態で、表示切替ボタン２８が押下げられたので、これに応じて、表示切替制御部６５の選択回路８１に選択信号Ｓが入力される。従って、選択回路８１は、ＢＷＢスロット番号情報を選択して出力する。この結果、ＢＷＢスロット番号情報が、選択回路８１から番号表示制御部６１に送られ、ＢＷＢスロット番号情報に対応するスロット番号、換言すれば、スロット番号保持部４１から取得されたスロット番号「Ｘ」を表示することができる。換言すれば、電子回路ユニット２が現在搭載されているスロット１２のスロット番号を表示することができる。
【００８４】
スロット番号記憶部９は、スロット番号取得部７からスロット番号「Ｘ」と、スロット番号の書き込みを要求する信号を受け取り、スロット番号取得部７から受け取ったスロット番号「Ｘ」を不揮発性メモリに書き込む。スロット番号「Ｘ」は、スロット番号「０（ａｌｌ“０”）」に上書きされる。これにより、スロット番号取得部７から受け取ったスロット番号「Ｘ」がスロット番号記憶部９の不揮発性メモリに記憶される。
【００８５】
スロット番号比較部１０は、スロット番号取得部７から受け取ったスロット番号を、比較情報Ａとして保持する。そして、スロット番号比較部１０において、比較情報Ａと比較情報Ｂとが、比較回路１０１に入力される。比較回路１０１は、比較情報Ａと比較情報Ｂとの比較結果を、反転回路１０２を介して、２入力ＡＮＤゲート回路１０３に入力する。一方、比較情報Ｂの各ビットの各々が、４入力ＯＲゲート回路１０４に入力される。これにより、比較情報Ｂの各ビットが全て「０」である場合には２入力ＡＮＤゲート回路１０３から信号「０」が出力され、比較情報Ｂのいずれかのビットが「１」である場合には２入力ＡＮＤゲート回路１０３が開かれて比較の結果に基づく信号が出力される。
【００８６】
ここで、「Ｘ」である比較情報Ａと「０」である比較情報Ｂとは一致しないので、比較回路１０１から出力された信号「０」の反転信号「１」が、２入力ＡＮＤゲート回路１０３に入力される。従って、本来は、比較情報Ａと比較情報Ｂとが一致しないので、２入力ＡＮＤゲート回路１０３からは、信号「１」、換言すれば、アラーム点灯指示が出力されるはずである。しかし、比較情報Ｂはスロット番号記憶部９から受け取ったスロット番号「０」であるので、４入力ＯＲゲート回路１０４から「０」が出力され、２入力ＡＮＤゲート回路１０３から信号「０」が出力される。
【００８７】
この結果、信号「０」、換言すれば、アラーム点灯を指示しない信号が、２入力ＡＮＤゲート回路１０３からアラーム制御部６２に送られる。アラーム制御部６２は、２入力ＡＮＤゲート回路１０３から受け取った信号に基づいて、アラーム表示用ＬＥＤ２５からアラームを出力しない。これにより、本来出力されるはずのアラームを抑止することができ、一度も電子装置１に搭載したことがない電子回路ユニット２を搭載する場合に、その都度、アラームが出力されることを回避することができる。
【００８８】
次に、ケース＃２として、電子装置１のスロット番号「Ｘ」のスロット１２に搭載した電子回路ユニット２を、スロット番号「Ｘ」のスロット１２から取り外す場合について説明する。これは、例えば、取り外した電子回路ユニット２の故障の解析等において有効である。
【００８９】
電子装置１のスロット番号「Ｘ」のスロット１２から電子回路ユニット２が取り外されると、電子装置１から電子回路ユニット２に電源が供給されなくなる。これにより、電子回路ユニット２に実装された処理回路とスロット番号表示回路とに電源が供給されなくなる。スロット番号表示回路に電源が供給されなくなる結果、表示部２４に表示されていたスロット番号が表示されなくなる。
【００９０】
一方、スロット番号記憶部９において、スロット番号は不揮発性メモリに格納されている。従って、スロット番号記憶部９には、スロット番号表示回路に電源が供給されなくなっても、スロット番号取得部７から受け取ったスロット番号「Ｘ」が格納されている。
【００９１】
この後、保守員が表示切替ボタン２８を押下げると、これに応じて、バッテリー１１が、外部インタフェース部６、記憶情報制御部８、スロット番号記憶部９に接続される。これにより、バッテリー１１は、外部インタフェース部６、記憶情報制御部８、スロット番号記憶部９へ電源を供給する。
【００９２】
記憶情報制御部８に電源が供給されると、記憶情報制御部８は、スロット番号記憶部９にスロット番号の読み出しを要求する信号を送る。これに応じて、スロット番号記憶部９は、スロット番号「Ｘ」を読み出して、記憶情報制御部８とスロット番号比較部１０とに送る。スロット番号比較部１０は、電源が供給されておらず動作しないので、スロット番号比較部１０に送られたスロット番号「Ｘ」は無視してよい。記憶情報制御部８は、スロット番号記憶部９から受け取ったスロット番号「Ｘ」を、スロット番号情報として、所定のレジスタに保持する。
【００９３】
一方、電子回路ユニット２はスロット１２に搭載されない。従って、記憶情報制御部８はスロット番号取得部７からスロット番号を受け取らず、ＢＷＢスロット番号情報はドントケア又は不定となる。
【００９４】
この結果、記憶情報制御部８において、ドントケアとなったＢＷＢスロット番号情報と、スロット番号「Ｘ」であるスロット番号情報とが、選択回路８１に入力される。ここで、電子回路ユニット２がスロット１２に搭載されない状態で、表示切替ボタン２８が押下げられたので、これに応じて、選択回路８１に選択信号Ｓが入力されない。従って、選択回路８１は、スロット番号「Ｘ」であるスロット番号情報を選択して出力する。この結果、スロット番号情報が、選択回路８１から番号表示制御部６１に送られる。
【００９５】
番号表示制御部６１は、選択回路８１から受け取ったスロット番号情報に基づいて、スロット番号を表示部２４に表示する。これにより、スロット番号記憶部９から受け取ったスロット番号「Ｘ」が表示される。これにより、電子回路ユニット２が以前にスロット番号「Ｘ」のスロット１２に搭載されていたことを表示することができる。
【００９６】
次に、ケース＃３として、スロット番号「Ｘ」のスロット１２から取り外した電子回路ユニット２を、再度、同一のスロット番号「Ｘ」のスロット１２に搭載する場合について説明する。これは、例えば、電子回路ユニット２の保守、故障の修理、故障の解析等が終了した場合である。
【００９７】
ケース＃３における処理は、基本的には、ケース＃１における処理と同じである。従って、ケース＃１と異なる点について、以下において説明する。
【００９８】
ケース＃３において、電子回路ユニット２において、スロット番号記憶部９に格納されたスロット番号は「Ｘ」である。一方、スロット番号「Ｘ」と同一のスロット１２である、電子装置１のスロット番号「Ｘ」のスロット１２に電子回路ユニット２が搭載される。これにより、電子回路ユニット２に実装された処理回路とスロット番号表示回路とに電源が供給される。
【００９９】
スロット番号表示回路に電源が供給されると、記憶情報制御部８からの読み出しを要求する信号に応じて、スロット番号記憶部９は、スロット番号「Ｘ」を読み出して、記憶情報制御部８とスロット番号比較部１０とに送る。記憶情報制御部８は、スロット番号記憶部９から受け取ったスロット番号「Ｘ」を、スロット番号情報として保持し、スロット番号比較部１０は、スロット番号記憶部９から受け取ったスロット番号「Ｘ」を、比較情報Ｂとして保持する。
【０１００】
一方、電子装置１に電子回路ユニット２が搭載されると、コネクタ部４のスロット番号保持部４１は、スロット番号「Ｘ」を、搭載された電子回路ユニット２のスロット番号取得部７に出力する。
【０１０１】
この後、保守員が設定ボタン２６を押下げると、スロット番号取得部７は、スロット番号保持部４１から出力されたスロット番号「Ｘ」を取り込み、取り込んだスロット番号「Ｘ」を、記憶情報制御部８、スロット番号記憶部９、スロット番号比較部１０に送る。
【０１０２】
記憶情報制御部８は、スロット番号取得部７から受け取ったスロット番号「Ｘ」を、ＢＷＢスロット番号情報として保持する。記憶情報制御部８において、ＢＷＢスロット番号情報とスロット番号情報とが、選択回路８１に入力される。
【０１０３】
この時、電子回路ユニット２がスロット１２に搭載された状態で、表示切替ボタン２８が押下げられていないので、選択回路８１に選択信号Ｓが入力されない。従って、選択回路８１は、スロット番号情報を選択して番号表示制御部６１に送る。番号表示制御部６１は、選択回路８１から受け取ったスロット番号情報に基づいて、スロット番号「Ｘ」を表示部２４に表示する。
【０１０４】
この後、保守員が表示切替ボタン２８を押下げると、電子回路ユニット２がスロット１２に搭載された状態で、表示切替ボタン２８が押下げられたので、これに応じて、表示切替制御部６５の選択回路８１に選択信号Ｓが入力される。従って、選択回路８１は、ＢＷＢスロット番号情報を選択して出力する。この結果、ＢＷＢスロット番号情報が、選択回路８１から番号表示制御部６１に送られ、電子回路ユニット２が現在搭載されているスロット１２のスロット番号「Ｘ」が表示される。
【０１０５】
スロット番号記憶部９は、スロット番号取得部７から受け取ったスロット番号「Ｘ」を、不揮発性メモリに書き込み記憶する。
【０１０６】
スロット番号比較部１０は、スロット番号取得部７から受け取ったスロット番号「Ｘ」、換言すれば、比較情報Ａと、スロット番号記憶部９から受け取ったスロット番号「Ｘ」、換言すれば、比較情報Ｂとを比較する。この場合、比較情報Ａと比較情報Ｂとは一致するので、比較回路１０１から出力された信号「１」の反転信号「０」が、２入力ＡＮＤゲート回路１０３に入力される。従って、２入力ＡＮＤゲート回路１０３からは、信号「０」が出力される。換言すれば、アラーム点灯指示は出力されない。従って、アラーム制御部６２は、２入力ＡＮＤゲート回路１０３から受け取った信号に基づいて、アラーム表示用ＬＥＤ２５からアラームを出力しない。
【０１０７】
なお、この時、比較情報Ｂの各ビットの各々が、４入力ＯＲゲート回路１０４に入力される。これにより、比較情報Ｂが「Ｘ」であるので、比較情報Ｂのいずれかのビットが「１」となり、結果として、２入力ＡＮＤゲート回路１０３が開かれて比較の結果に基づく信号が出力される。
【０１０８】
次に、ケース＃４として、スロット番号「Ｘ」のスロット１２から取り外した電子回路ユニット２を、異なるスロット番号「Ｙ」のスロット１２に搭載する場合について説明する。これは、例えば、電子回路ユニット２を新たなスロット１２に搭載する場合である。
【０１０９】
ケース＃４における処理は、基本的には、ケース＃１における処理と同じである。従って、ケース＃１と異なる点について、以下において説明する。
【０１１０】
ケース＃４において、電子回路ユニット２において、スロット番号記憶部９に格納されたスロット番号は「Ｘ」である。一方、スロット番号「Ｘ」とは異なるスロット１２であるスロット番号「Ｙ」のスロット１２に、電子回路ユニット２が搭載される。これにより、電子回路ユニット２に実装された処理回路とスロット番号表示回路とに電源が供給される。
【０１１１】
スロット番号表示回路に電源が供給されると、記憶情報制御部８からの読み出しを要求する信号に応じて、スロット番号記憶部９は、スロット番号「Ｘ」を読み出して、記憶情報制御部８とスロット番号比較部１０とに送る。記憶情報制御部８は、スロット番号記憶部９から受け取ったスロット番号「Ｘ」を、スロット番号情報として保持し、スロット番号比較部１０は、スロット番号記憶部９から受け取ったスロット番号「Ｘ」を、比較情報Ｂとして保持する。
【０１１２】
一方、電子装置１に電子回路ユニット２が搭載されると、コネクタ部４のスロット番号保持部４１は、スロット番号「Ｙ」を、搭載された電子回路ユニット２のスロット番号取得部７に出力する。
【０１１３】
この後、保守員が設定ボタン２６を押下げると、スロット番号取得部７は、スロット番号保持部４１から出力されたスロット番号「Ｙ」を取り込み、取り込んだスロット番号「Ｙ」を、記憶情報制御部８、スロット番号記憶部９、スロット番号比較部１０に送る。
【０１１４】
記憶情報制御部８は、スロット番号取得部７から受け取ったスロット番号「Ｙ」を、ＢＷＢスロット番号情報として保持する。記憶情報制御部８において、ＢＷＢスロット番号情報とスロット番号情報とが、選択回路８１に入力される。
【０１１５】
この時、電子回路ユニット２がスロット１２に搭載された状態で、表示切替ボタン２８が押下げられていないので、選択回路８１に選択信号Ｓが入力されない。従って、選択回路８１は、スロット番号情報を選択して番号表示制御部６１に送る。番号表示制御部６１は、選択回路８１から受け取ったスロット番号情報に基づいて、スロット番号「Ｘ」を表示部２４に表示する。
【０１１６】
この後、保守員が表示切替ボタン２８を押下げると、電子回路ユニット２がスロット１２に搭載された状態で、表示切替ボタン２８が押下げられたので、これに応じて、表示切替制御部６５の選択回路８１に選択信号Ｓが入力される。従って、選択回路８１は、ＢＷＢスロット番号情報を選択して出力する。この結果、ＢＷＢスロット番号情報が、選択回路８１から番号表示制御部６１に送られ、電子回路ユニット２が現在搭載されているスロット１２のスロット番号「Ｙ」が表示される。
【０１１７】
スロット番号記憶部９は、スロット番号取得部７から受け取ったスロット番号「Ｙ」を、不揮発性メモリに書き込み記憶する。
【０１１８】
スロット番号比較部１０は、スロット番号取得部７から受け取ったスロット番号「Ｙ」、換言すれば、比較情報Ａと、スロット番号記憶部９から受け取ったスロット番号「Ｘ」、換言すれば、比較情報Ｂとを比較する。この場合、比較情報Ａと比較情報Ｂとは一致しないので、比較回路１０１から出力された信号「０」の反転信号「１」が、２入力ＡＮＤゲート回路１０３に入力される。従って、２入力ＡＮＤゲート回路１０３からは、信号「１」が出力される。換言すれば、アラーム点灯指示が出力される。従って、アラーム制御部６２は、２入力ＡＮＤゲート回路１０３から受け取った信号に基づいて、アラーム表示用ＬＥＤ２５からアラームを出力する。これにより、保守員は、スロット番号「Ｘ」のスロット１２から取り外した電子回路ユニット２を異なるスロット番号「Ｙ」のスロット１２に搭載したことを知ることができる。
【０１１９】
この時、比較情報Ｂの各ビットの各々が、４入力ＯＲゲート回路１０４に入力される。これにより、比較情報Ｂが「Ｘ」であるので、比較情報Ｂのいずれかのビットが「１」となり、結果として、２入力ＡＮＤゲート回路１０３が開かれて比較の結果に基づく信号が出力される。
【０１２０】
この状態で、アラームを見た保守員が表示切替ボタン２８の押下げを解除する。これにより、電子回路ユニット２がスロット１２に搭載された状態で、表示切替ボタン２８が押下げられていない状態となるので、選択回路８１に選択信号Ｓが入力されない。従って、選択回路８１は、スロット番号情報を選択して出力する。この結果、スロット番号情報が、選択回路８１から番号表示制御部６１に送られる。番号表示制御部６１は、選択回路８１から受け取ったスロット番号情報に基づいて、スロット番号「Ｘ」を表示部２４に表示する。これにより、保守員は、アラームの対象となった電子回路ユニット２は、スロット番号「Ｘ」のスロット１２から取り外したものであることを知ることができる。
【０１２１】
次に、ケース＃５として、スロット番号「Ｘ」のスロット１２から取り外した電子回路ユニット２を、リセットする場合について説明する。これは、例えば、電子回路ユニット２を新たなスロット１２に搭載することが判った場合である。
【０１２２】
例えば、ケース＃４に示すように、アラーム出力により、保守員が、スロット番号「Ｘ」のスロット１２から取り外した電子回路ユニット２を、異なるスロット番号「Ｙ」のスロット１２に搭載したことを知る。しかし、電子回路ユニット２は、元々、スロット番号「Ｙ」のスロット１２に搭載される予定であったとする。
【０１２３】
そこで、保守員がリセットボタン２７を押下げると、これに応じて、外部インタフェース部６のリセット制御部６４から記憶情報制御部８へリセットボタン２７の押下げが通知される。リセットボタン２７の押下げの通知を受けた記憶情報制御部８は、スロット番号記憶部９スロット番号のリセット、換言すれば、消去を要求する信号を送る。これに応じて、スロット番号記憶部９は、不揮発性メモリに記憶されたスロット番号「Ｘ」をリセットする。これにより、電子回路ユニット２を正常な状態にすることができる。
【０１２４】
また、例えば、ケース＃２に示すように、保守員が、電子回路ユニット２が以前にスロット番号「Ｘ」のスロット１２に搭載されていたことを知る。しかし、電子回路ユニット２は、次に、スロット番号「Ｙ」のスロット１２に搭載される予定であるとする。
【０１２５】
そこで、保守員がリセットボタン２７を押下げると、これに応じて、外部インタフェース部６のリセット制御部６４から記憶情報制御部８へリセットボタン２７の押下げが通知される。リセットボタン２７の押下げの通知を受けた記憶情報制御部８は、スロット番号記憶部９スロット番号のリセット、換言すれば、消去を要求する信号を送る。これに応じて、スロット番号記憶部９は、不揮発性メモリに記憶されたスロット番号「Ｘ」をリセットする。これにより、電子回路ユニット２をスロット番号「Ｙ」のスロット１２に搭載した場合に、アラームが出力されることを防止することができる。
【０１２６】
以上の説明から理解されるように、以下のような実施の態様が把握される。
【０１２７】
（付記１）  各々が電子回路ユニットを搭載する複数のスロットと、
前記複数のスロットのいずれかに搭載された少なくとも１個の電子回路ユニットと、
前記複数のスロットの各々に割当てられたスロット識別子を保持するスロット識別子保持部とを含み、
前記電子回路ユニットは、
前記スロット識別子保持部から、前記電子回路ユニットが搭載されたスロットのスロット識別子を取得するスロット識別子取得部と、
取得された前記スロット識別子を表示する出力部とを含む
ことを特徴とする電子装置。
【０１２８】
（付記２）  前記電子装置は、更に、
前記電子回路ユニットが接続される共通基板を含み、
前記スロット識別子保持部は、前記共通基板に設けられた接続ピンであって、前記複数のスロットの各々に対応する複数の接続ピンを、予め定められた第１の電位又は第２の電位に固定することにより、前記スロット識別子を保持する
ことを特徴とする付記１に記載の電子装置。
【０１２９】
（付記３）  前記スロット識別子保持部は、前記電子回路ユニットが前記スロットに搭載された場合に、前記第１の電位又は第２の電位を含む信号である前記スロット識別子を、搭載された前記電子回路ユニットの前記スロット識別子取得部に出力し、
前記スロット識別子取得部は、前記スロット識別子保持部から出力された前記スロット識別子を取得し、
前記出力部は、取得された前記スロット識別子を表示する
ことを特徴とする付記２に記載の電子装置。
【０１３０】
（付記４）  前記電子回路ユニットは、前記電子回路ユニットが前記スロットに搭載された場合に前記電子装置の前面となる前面部と、前記前面部に設けられた表示部とを含み、
前記出力部は、前記表示部に前記スロット識別子を表示する
ことを特徴とする付記３に記載の電子装置。
【０１３１】
（付記５）  前記電子回路ユニットは、更に、
取得された前記スロット識別子を記憶する不揮発性メモリを含むスロット識別子記憶部を含む
ことを特徴とする付記１に記載の電子装置。
【０１３２】
（付記６）  前記スロット識別子記憶部は、予め定められたリセット指示信号に従って、前記スロット識別子記憶部に記憶された前記スロット識別子をリセットする
ことを特徴とする付記５に記載の電子装置。
【０１３３】
（付記７）  前記電子回路ユニットは、前記電子回路ユニットが前記スロットに搭載された場合に前記電子装置の前面となる前面部と、前記前面部に設けられた前記リセット指示信号の入力用のボタンとを含む
ことを特徴とする付記６に記載の電子装置。
【０１３４】
（付記８）  前記電子回路ユニットは、更に、
前記電子回路ユニットが前記スロットに搭載されていない場合に、前記出力部及び前記スロット識別子記憶部に電力を供給するバッテリーを含み、
前記出力部は、前記電子回路ユニットが前記スロットに搭載されていない場合に、前記バッテリーから前記出力部及び前記スロット識別子記憶部に電力が供給されることにより、前記スロット識別子記憶部に記憶された前記スロット識別子を表示する
ことを特徴とする付記５に記載の電子装置。
【０１３５】
（付記９）  前記出力部は、前記電子回路ユニットが前記スロットに搭載された場合において、スロット識別子取得部により取得された前記スロット識別子と、前記スロット識別子記憶部に記憶された前記スロット識別子とが一致しない場合に、警告を出力する
ことを特徴とする付記５に記載の電子装置。
【０１３６】
（付記１０）  前記出力部は、予め定められた抑止信号に従って、スロット識別子取得部により取得された前記スロット識別子と、前記スロット識別子記憶部に記憶された前記スロット識別子とが一致しない場合における、前記警告の出力を抑止する
ことを特徴とする付記９に記載の電子装置。
【０１３７】
（付記１１）  前記電子回路ユニットは、前記スロット識別子記憶部に記憶されたスロット識別子が予め定められた値である場合に、前記予め定められた値を前記抑止信号として検出して、前記警告の出力を抑止する
ことを特徴とする付記１０に記載の電子装置。
【０１３８】
（付記１２）  前記出力部は、予め定められた表示切替指示信号に従って、スロット識別子取得部により取得された前記スロット識別子、又は、前記スロット識別子記憶部に記憶された前記スロット識別子のいずれかを表示する
ことを特徴とする付記５に記載の電子装置。
【０１３９】
（付記１３）  前記電子回路ユニットは、前記電子回路ユニットが前記スロットに搭載された場合に前記電子装置の前面となる前面部と、前記前面部に設けられた前記表示切替指示信号の入力用のボタンとを含む
ことを特徴とする付記１２に記載の電子装置。
【０１４０】
（付記１４）  各々が電子回路ユニットを搭載する複数のスロットと、前記複数のスロットに搭載された少なくとも１個の電子回路ユニットと、前記複数のスロットの各々に割当てられたスロット識別子を保持するスロット識別子保持部とを含む電子装置におけるスロット識別子表示方法であって、
前記電子回路ユニットに設けられたスロット識別子取得部が、前記スロット識別子保持部から、前記電子回路ユニットが搭載されたスロットのスロット識別子を取得し、
前記電子回路ユニットに設けられた出力部が、取得された前記スロット識別子を表示する
ことを特徴とするスロット識別子表示方法。
【０１４１】
（付記１５）  電子装置の複数のスロットのいずれかに搭載される電子回路ユニットであって、
前記電子回路に設けられ前記複数のスロットの各々に割当てられたスロット識別子を保持するスロット識別子保持部から、前記電子回路ユニットが搭載されたスロットのスロット識別子を取得するスロット識別子取得部と、
取得された前記スロット識別子を表示する出力部とを含む
ことを特徴とする電子回路ユニット。
【符号の説明】
【０１４２】
１    電子装置
２    電子回路ユニット
３    ＢＷＢ（バックワイヤリングボード）
４    コネクタ部
６    外部インタフェース部
７    スロット番号取得部
８    記憶情報制御部
９    スロット番号記憶部
１０    スロット番号比較部
１１    バッテリー
２１    前面部
２２    配線基板
２３    接続部
２４    表示部
２５    アラーム表示用ＬＥＤ
２６    設定ボタン
２７    リセットボタン
２８    表示切替ボタン
【図１】
2013131655.tif 000003
【図２】
2013131655.tif 000004
【図３】
2013131655.tif 000005
【図４】
2013131655.tif 000006
【図５】
2013131655.tif 000007
【図６】
2013131655.tif 000008
【図７】
2013131655.tif 000009
【図８】
2013131655.tif 000010
【図９】
2013131655.tif 000011
【図１０】
2013131655.tif 000012